(57)【要約】【課題】本発明は放熱性の高いコイル部品の提供を目的としたものである。【解決手段】放熱用基板５と絶縁樹脂４と配線用基板３とからなる絶縁放熱板７と、中心孔１ａを有し、下面には平坦部を備え、磁性体からなるトロイダルコア１と、コの字型に折り曲げた平角線からなる複数のジャンパー２と、前記配線用基板３上に形成した配線パターン３ａとからなり、前記ジャンパー２は前記トロイダルコア１を跨ぐように前記中心孔１ａから放射状に配置され、前記ジャンパー２と前記配線パターン３ａとで前記トロイダルコア１をスパイラル状に巻回するようにコイル８を形成するとともに、前記トロイダルコア１の下面は前記絶縁放熱板７に接触固定しているコイル部品とすることにより課題を解決する。【選択図】図１
2006278841.tif 000002
【特許請求の範囲】
【請求項１】
放熱用基板と絶縁樹脂と配線用基板とからなる絶縁放熱板と、中心孔を有し、下面には平坦部を備え、磁性体からなるトロイダルコアと、コの字型に折り曲げた平角線からなる複数のジャンパーと、前記配線用基板上に形成した配線パターンとからなり、前記ジャンパーは前記トロイダルコアを跨ぐように前記中心孔から放射状に配置され、前記ジャンパーと前記配線パターンとで前記トロイダルコアをスパイラル状に巻回するようにコイルを形成するとともに、前記トロイダルコアの下面は前記絶縁放熱板に接触固定しているコイル部品。
【請求項２】
前記トロイダルコアの下面は接着剤によって前記絶縁放熱板に接触固定している請求項１に記載のコイル部品。
【請求項３】
前記トロイダルコアの上面を樹脂で覆い、前記トロイダルコア上面と前記ジャンパーの交差する部分に溝を設け、前記ジャンパーを保持させるとともに、前記溝にツメを設け、前記ジャンパーが抜けないようにした請求項２に記載のコイル部品。
【請求項４】
前記トロイダルコアの上面を樹脂で覆い、前記トロイダルコア上面と前記ジャンパーの交差する部分に溝を設け、前記ジャンパーを保持させるとともに、前記溝にツメを設け、前記ジャンパーが抜けないようにし、かつ、前記ジャンパーによって前記トロイダルコアを下面側に固定した請求項１に記載のコイル部品。
【請求項５】
前記トロイダルコアの下面部に切り込みを設け、前記ジャンパーの両端を前記トロイダルコアの下面側に折り込んだ請求項１に記載のコイル部品。
【発明の詳細な説明】
【技術分野】
【０００１】
本発明は、スイッチング電源の平滑コイルやインバータのフィルタなどとして使用されるコイル部品に関するものである。
【背景技術】
【０００２】
従来のコイル部品の斜視図を図９に示す。
【０００３】
図９において、１０１は鉄などからなるトロイダルコアであり、１０２は銅線などからなる略Ｕ字状の分断銅線である。１０３は基板であり、基板１０３の下面で分断銅線１０２の各々が接続され、トロイダルコア１０１をスパイラル状に巻回するようにコイルが形成されている。
【０００４】
なお、この出願の発明に関する先行技術文献情報としては例えば特許文献１が知られている。
【特許文献１】特開平０７−７８７２３号公報
【発明の開示】
【発明が解決しようとする課題】
【０００５】
従来のコイル部品は分断銅線１０２に流れる電流が大きい場合、トロイダルコア１０１の発熱が大きくなり十分に放熱できないという課題を有していた。そこで本発明では高い放熱性のコイル部品の提供を目的とするものである。
【課題を解決するための手段】
【０００６】
そしてこの目的を達成するためにトロイダルコアに放熱用基板と絶縁樹脂と配線用基板とからなる絶縁放熱板を接着剤によって固定させたことを特徴としたものである。
【発明の効果】
【０００７】
本発明によれば、コイル部品に大きな電流が流れることによってトロイダルコアの温度が上昇してしまうところ、コイルを形成している配線用基板の配線パターンを放熱用基板と絶縁樹脂とからなる絶縁放熱板の一部とすることで、トロイダルコアで発生する熱は配線パターンと、絶縁樹脂と、放熱用基板とを通じて速やかに放熱することができるものである。
【発明を実施するための最良の形態】
【０００８】
（実施の形態１）
以下、本発明の実施の形態におけるコイル部品について図面を参照しながら説明する。
【０００９】
図１は本実施の形態に用いられるコイル部品の斜視図であり、図２は図１におけるＡ−Ａ’面での断面図である。
【００１０】
図１および図２において、１はフェライトなどの磁性体からなるトロイダルコアであり、中心孔１ａを備えており、トロイダルコア１の下面は平坦になっている。２は銅製の平角線からなる複数のジャンパーであり、中心孔１ａからトロイダルコア１を跨ぐように放射状に配置されている。３は銅板などからなる配線用基板であり、所定の形状にした配線パターン３ａによって回路を構成している。４は樹脂に無機フィラーなどを添加させた絶縁樹脂であり、絶縁性と放熱性を有している。５はアルミ板などからなる放熱用基板である。配線用基板３と放熱用基板５との間の絶縁を確保するように絶縁樹脂４を積層させ、配線用基板３と絶縁樹脂４と放熱用基板５とで絶縁放熱板７を構成している。
【００１１】
トロイダルコア１は接着剤６によって絶縁放熱板７に固定されている。
【００１２】
図３は図１における斜視図からトロイダルコア１を除いた状態の斜視図である。図３に示すようにジャンパー２と配線パターン３ａとではんだ付けされ、引き出し部３ｂを有するスパイラル状のコイル８を形成している。
【００１３】
従来であれば分割銅線１０２を流れる電流によってトロイダルコア１０１が発熱し、その熱は基板１０３に伝わり、トロイダルコア１０１と基板１０３とは非常に高温になっていた。
【００１４】
本実施の形態の発明によれば、引き出し部３ｂを通じてコイル８を流れる電流によって発熱するトロイダルコア１の下面はコイル８を構成している配線用パターン３ａを含む絶縁放熱板７とに接着剤６を介して接しているのでトロイダルコア１の熱は絶縁放熱板７によって放熱され、従来のような高温になるということはなくなるものである。
【００１５】
なお、トロイダルコア１とジャンパー２との距離は図３に示すように絶縁を保てる程度に離れているものとする。
【００１６】
また、図１または図３によると接着部分はトロイダルコア１の全周としたが接着剤６の塗布しやすい位置のみでもよいものとする。
【００１７】
（実施の形態２）
図４は本実施の形態のコイル部品の要部斜視図であり、図５は本実施の形態に用いられるトロイダルコア１とコアカバー９の斜視図である。
【００１８】
図６（ａ）は断面図、図６（ｂ）はトロイダルコア１の側面からの断面図、図６（ｃ）は上面から見た図である。
【００１９】
図４、図５、図６（ａ）〜（ｃ）において、９は絶縁性の樹脂などからなるコアカバーである。コアカバー９はトロイダルコア１の上面を覆っている。
【００２０】
１０はコアカバー９の上面とジャンパー２とが交差する部分に設けられた溝である。溝１０の一部にはツメ１１が設けられている。
【００２１】
このようにコアカバー９を設けることでトロイダルコア１とジャンパー２との絶縁を図ることができるとともに、溝１０を設けることでジャンパー２の位置決めができるものである。
【００２２】
また、溝１０にツメ１１を設けているので、コアカバー９からジャンパー２が抜けるのを防ぐことが可能になるので、事前にジャンパー２をコアカバー９に装着させた後にコアカバー９をトロイダルコア１に固定させることができ、作業効率の向上を図ることができる。
【００２３】
なお、コアカバー９を図５のようにトロイダルコア１と同径とすることで位置決めもより容易になるものである。
【００２４】
（実施の形態３）
図７（ａ）は断面図、図７（ｂ）はトロイダルコア１の側面からの断面図、図７（ｃ）は上面から見た図である。
【００２５】
実施の形態２との違いはジャンパー２によってトロイダルコア１を下面側に固定している点である。このようにすることで、接着剤６を用いずともトロイダルコア１を絶縁放熱板７へ接触固定することができ、部材の削減が可能になるものである。
【００２６】
また、トロイダルコア１の上面だけでなく側面も樹脂で覆うことでジャンパー２をさらに小さくすることができ、コイル部品全体を小型化することができる。
【００２７】
本実施の形態におけるコアカバー９の形成は樹脂による成型後トロイダルコア１に被せるものでも、トロイダルコア１へ樹脂を塗布するものでもどちらでもよいものとする。
【００２８】
（実施の形態４）
図８は断面図である。図８に示すようにトロイダルコア１の下面部に切り込み１ｂを設け、ジャンパー２を切り込み１ｂ側に折り込むように形成する。
【００２９】
このとき、トロイダルコア１の下面部も絶縁放熱板７に接している状態で接着剤６によって絶縁放熱板７に固定される。
【００３０】
このようにすることによって、トロイダルコア１を小型化し、中心孔１ａを小さくしてもジャンパー２同士が接触することがないので、実装面積を小さくすることができる。
【産業上の利用可能性】
【００３１】
以上のように、本発明にかかるコイル部品によれば、効率的なコアの放熱が可能となるので、スイッチング電源の平滑コイルやインバータのフィルタなど特に大電流を扱う機器の用途にも適用できる。
【図面の簡単な説明】
【００３２】
【図１】本発明の実施の形態におけるコイル部品の斜視図
【図２】本発明の実施の形態におけるコイル部品の断面図
【図３】本発明の実施の形態におけるトロイダルコアを除いた状態のコイル部品の斜視図
【図４】本発明の実施の形態におけるコイル部品の要部斜視図
【図５】本発明の実施の形態におけるトロイダルコアとコアカバーの斜視図
【図６】（ａ），（ｂ）本発明の実施の形態におけるコイル部品の断面図、（ｃ）本発明の実施の形態におけるコイル部品の上面図
【図７】（ａ），（ｂ）本発明の実施の形態におけるコイル部品の断面図、（ｃ）本発明の実施の形態におけるコイル部品の上面図
【図８】本発明の実施の形態におけるコイル部品の断面図
【図９】従来のコイル部品の斜視図
【符号の説明】
【００３３】
１  トロイダルコア
１ａ  中心孔
２  ジャンパー
３  配線用基板
３ａ  配線パターン
３ｂ  引き出し部
４  絶縁樹脂
５  放熱用基板
６  接着剤
７  絶縁放熱板
８  コイル
９  コアカバー
１０  溝
１１  ツメ
【図１】
2006278841.tif 000003
【図２】
2006278841.tif 000004
【図３】
2006278841.tif 000005
【図４】
2006278841.tif 000006
【図５】
2006278841.tif 000007
【図６】
2006278841.tif 000008
【図７】
2006278841.tif 000009
【図８】
2006278841.tif 000010
【図９】
2006278841.tif 000011